(57)【特許請求の範囲】
【請求項１】
燃焼力駆動工具、特には固定素子の打ち込み装置のための、可燃性ガスを基にした燃料ガスであって、芳香物質または芳香物質混合物を含有し、
前記芳香物質または芳香物質混合物を、前記可燃性ガス固有の臭いを隠す量で含み、
前記芳香物質または芳香物質混合物が液状または可燃性ガス溶液として含まれ、
可燃性ガスとして、（Ａ）４０乃至７０重量％のジメチルエーテル、一酸化二窒素および／またはニトロメタン、（Ｂ）８乃至２０重量％のプロピレン、メチルアセチレン、プロパンおよび／またはプロパジエンおよび（Ｃ）２０乃至４５重量％のイソブタンおよび／またはｎ−ブタンからなる混合物を含むことを特徴とする、燃料ガス。
【請求項２】
前記芳香物質または芳香物質混合物を、０．０００１乃至５重量％の量で含むことをさらに特徴とする、請求項１に記載の燃料ガス。
【請求項３】
草原香（グリーンノート）、柑橘香（シトラスノート）、ラベンダー香（ラベンダーノート）、花香（フローラルノート）、アルデヒド香（アルデヒドノート）、シプレ香（シプレノート）、シダ香（フゼアノート）、スパイス香（スパイシーノート）、オリエンタル香（オリエンタルノート）、森林香（ウッディノート）、タバコ香（タバコノート）および／または皮革香（レザーノート）のする芳香物質または芳香物質混合物を含むことをさらに特徴とする、請求項１又は２に記載の燃料ガス。
【請求項４】
前記芳香物質または芳香物質混合物が、前記燃料ガスに使用された際に燃え滓を残さず燃焼することをさらに特徴とする、請求項１乃至３の何れかに記載の燃料ガス。
【請求項５】
可燃性ガスとして、５０乃至６０重量％の成分（Ａ）、１０乃至１５重量％の成分（Ｂ）、および２５乃至３５重量％の成分（Ｃ）からなる混合物を含むことをさらに特徴とする、請求項１乃至４の何れかに記載の燃料ガス。
【請求項６】
成分（Ａ）としてジメチルエーテル、成分（Ｂ）としてプロピレンおよび成分（Ｃ）としてイソブタンを含むことをさらに特徴とする、請求項１乃至５の何れかに記載の燃料ガス。
【請求項７】
５８重量％のジメチルエーテル、１０重量％のプロピレンおよび３２重量％のイソブタンの混合物を含むことをさら特徴とする、請求項１乃至６の何れかに記載の燃料ガス。
【請求項８】
圧縮または液化した状態で、排気バルブ付きの圧力容器中に入れられていることを更に特徴とする、請求項１乃至７の何れかに記載の燃料ガス。
【発明の詳細な説明】
【０００１】
【発明の属する技術分野】
本発明は、燃焼力駆動工具、特には固定素子の打ち込み装置用の、可燃性ガスを基にした燃料ガスに関する。
【０００２】
【従来の技術】
ここで取り扱う形式の燃焼力駆動工具、即ち、固定素子の打ち込み装置としては、ドイツ国特許公開第４，０３２，２０２号が知られている。このような工具を用いて、通常は火薬力または可燃性ガス混合物である、燃焼力の直接的な作用により、例えば、木、鋼、コンクリートおよびこれに類する材料中に、釘、ボルト等の固定素子を打ち込むことができる。
【０００３】
この種の燃焼力駆動工具は、例えば、１つの燃焼室およびシリンダ中を動くピストンとからなり、該ピストンは、該燃焼室内で発生した、燃焼ガスの膨張による衝撃を受ける。該燃焼室内の空気と燃料の混合物を着火するか、または火薬駆動装薬を点火すると、ピストンが燃焼室から外へ出て、該固定素子を打ち付け、さらにこれを下地材料へ打ち込む。ここで、燃焼ガスを燃焼して得られるエネルギーは、その燃焼速度により大きく左右され、該燃焼速度はまた空気とガスの混合比により左右される。
【０００４】
この種の燃焼力駆動工具は、例えば、ドイツ国特許公開第４０，３２，２０号および米国特許第５，８４２，６２３号が知られている。
【０００５】
この米国特許第５，８４２，６２３号に記載されている燃焼力駆動工具は、燃料ガスとしてメチルアセチレンとプロパジエンの混合物もしくはプロパン、ブタン、プロピレンまたはエタンから成る混合物を用いて駆動される。ここで取り扱う種類の市販の燃焼力駆動工具の場合には、特に、メチルアセチレン、プロパジエン、プロピレンおよびブタンの混合物が使われており、これはＭＡＰＰという名称で知られている。この気体は、石炭乾留の際に発生する副産物であり、工具の効率を高めるのに重要な、比較的高い燃焼速度が得られる。
【０００６】
従来、出願人による未公開ドイツ国特許出願第１９９  ５０  ３４８．６号は、既に、燃焼力駆動工具、特には固定素子の打ち込み装置用の、可燃性ガスを基にした燃料ガスを開示している。該燃料ガスは、（Ａ）４０乃至７０重量％のジメチルエーテル、一酸化二窒素及び／又はニトロメタン、（Ｂ）８乃至２０重量％のプロピレン、メチルアセチレン、プロパン及び／又はプロパジエンおよび（Ｃ）２０乃至４５重量％のイソブタン及び／又はｎ−ブタンからなる混合物を含む可燃性気体を基にし、毒性が無く、簡単かつコスト面で有利に提供可能で、必要な燃焼エネルギーを具備しており、該燃焼エネルギーを適切に調整することもでき、低温においても使用可能であり、かつエアロゾル規制を厳守することができる燃料ガスである。
【０００７】
しかしながら、この燃料ガス自体が、その成分により無臭または悪臭であり、無臭の場合には、燃料ガスの漏れを確実に検知することが出来ず、悪臭の場合には、特に燃料ガスを閉所で使用する際に、使用者にとって不快であることが分かった。
【０００８】
【発明が解決しようとする課題】
本発明の目的は、燃焼力駆動工具、特には固定素子の打ち込み装置用の燃料ガスであって、漏れに関するだけでなく、製造業者の識別としても確実に検出することができ、かつ使用者を害することのない燃料ガスを提供することにある。
【０００９】
【課題を解決するための手段】
本発明において、芳香物質または芳香物質混合物を成分に含む、可燃性ガスを基にした燃料ガスによりこれらの課題を解決する。
【００１０】
従って、本発明の目的は、請求項１に記載の燃料ガスである。それ以降の請求項は、本発明の目的の好適な実施態様に関するものである。
【００１１】
【発明の実施の形態】
燃料ガスは、芳香物質または芳香物質混合物を、それ自体臭気のある可燃性ガスの臭いを隠す量で含む。好ましくは０．０００１乃至５重量％の量で、さらに好ましくは０．０１乃至１重量％の量で含む。
【００１２】
芳香物質または芳香物質混合物は、液状または可燃性ガス溶液である。芳香物質または芳香物質混合物が可燃性ガスに不溶の場合、必要に応じて燃え滓を残さずに燃焼する溶媒、例えば液化燃料ガスおよび／またはジメチルエーテルもしくはジエチルエーテル等の低分子量エーテルを加えることができる。
【００１３】
本発明の燃料ガスは、草原香（グリーンノート）、柑橘香（シトラスノート）、ラベンダー香（ラベンダーノート）、花香（フローラルノート）、アルデヒド香（アルデヒドノート）、シプレ香（シプレノート）、シダ香（フゼアノート）、スパイス香（スパイシーノート）、オリエンタル香（オリエンタルノート）、森林香（ウッディノート）、タバコ香（タバコノート）および／または皮革香（レザーノート）のする芳香物質または芳香物質混合物を含む。これらの香りの芳香物質または芳香物質混合物は、当業者に既知であり、例えばFirmen Dragoco 有限会社、Holzminden（ドイツ国）、またはL. Givaudan & Cie（スイス国）等の会社から入手可能である。これらの芳香物質または芳香物質混合物を、アミルサリチラート、アニスアルデヒド、ベンジルサリチラート、ブチルシナミックアルデヒド、シトロネロール、シクロヘキシルサリチラート、ユージノール、エキサルテクス（Exaltex）、トリシクロデセニルアセタート、ゲラニオール、ハーバベート（Herbavert）、ベータイオノン、ガンマメチルイオノン、キオン（Keon）、メチルセドリロン（Methylcedrylon）、メチルシクロゲラニアート（Methylcyclogeraniat）、ローゼンオキシド（Rosenoxid）ＤＬ、パチュリ（Patschuli）、フェニルエチルアルコール、テルピネオール、トナリド（Tonalid）、ウンデカファートル（Undecavertol）、バニリン、イランオリファック（Ylang Oliffac）７６５、アンブレトン（Ambreton）、リナクソール（Linacsol）、メタニルアセタート Ｔ、メチルサンデフロー（Methylsandeflor）、トレパノール（Trepanol）、ジヒドロテルピネオール Ｔ、グリサルバ（Grisalva）、マヨール（Mayol）、アンブロックスコアー（Ambrox Coeur）、パーマンテーム（Parmantheme）、クマリン、ＬＲＧ ２０１、パラメトキシアセトフェノン、ムスクケトン、ガラキソリド（Galaxolide）５０、トリシクロデセニルプロピナート、トラセオリド（Traseolide）７０、シノシトリル（Sinocitryl）、ジメチルオクタノール、ムスクキシロール、カシュメラン（Cashmeran）、クロナール（Clonal）、カメコール（Camekol）ＤＨ、サンダロア（Sandalore）、ルーバフラン（Rhubafuran）Ｖ−９０４２、セロメル（Ceromel）３、マレニル（Marenil）（Ｎ）、コープスルーバーブ（Corps. rhubarb）、ネルケノール（Nelkenol）、フェニルエチルアセタート、トンカラクトン（Tonkalacton）、エクサルトライド（Exaltolide）、イソジャスモン、アンブレットリド、ジヒドロフローラロール（Dihydrofloralol）、セダーイングリッシュ（Cedar English）、ナルドロゾール（Nardorosol）、フェンチラルコール（Fenchylalkohol）、Ｂナフチルメチルエーテル、およびトリデセン−２−ニトリルからなる群より、有利に選択することができる。
【００１４】
燃料ガスへの使用に関しては、該燃料ガスに使用された際に燃え滓を残さず燃焼する、芳香物質または芳香物質混合物が特に好ましい。この例としては、次のような高揮発性、低沸点の芳香物質が挙げられる。すなわち、アネトール、ベンズアルデヒド、ベンジルアセタート、ベンジルアルコール、ベンジルホルマート、イソボルニルアセタート、カンフェン、シス−シトラール（ネラール）、シトロネラル、シトロネロール、シトロネリルアセタート、パラ−シメン、デカナール、ジヒドロリナロール、ジヒドロミルセノール、ジメチルフェニルカルビノール、ユーカリプトール、ゲラニアール、ゲラニオール、ゲラニルアセタート、ゲラニルニトリル、シス−３−ヘキセニルアセタート、ヒドロキシシトロネラル、Ｄ−リモネン、リナロール、リナロールオキシド、リナリルアセタート、リナリルプロピナート、メチルアントラニラート、アルファ−メチルイオノン、メチルノニルアセトアルデヒド、メチルフェニルカルビニルアセタート、レボメンチルアセタート、メントール、イソメントール、ミルセン、ミルセニルアセタート、ミルセノール、ネロール、ネリルアセタート、ノニルアセタート、フェニルエチルアルコール、アルファ−ピネン、ベータ−ピネン、ガンマ−ピネン、アルファ−テルピネオール、ベータ−テルピネオール、テルピニルアセタート、およびベルテネクス（パラ−第３ブチルシクロヘキシルアセタート）およびこれらの混合物である。
【００１５】
本発明において、揮発性芳香物質、例えば、バラ抽出物、スミレ抽出物、ライラック抽出物またはラベンダー等のフローラルノートと、ラバンジンと、ライム、レモン、オレンジ等の柑橘油、例えばライム油およびオレンジテルペンと、カーネーション油と、さらにバニラアロマとを高い割合で含む、天然油を基にした芳香物質および芳香物質混合物が特に好適である。
【００１６】
本発明の燃料ガスの可燃性ガスは、通常、燃焼力駆動工具、特にはガスまたはガス混合物を使用した、固定素子の打ち込み装置用の燃料ガスとすることができる。しかし、特に好ましくは、（Ａ）４０乃至７０重量％のジメチルエーテル、一酸化二窒素および／またはニトロメタン、（Ｂ）８乃至２０重量％のプロピレン、メチルアセチレン、プロパンおよび／またはプロパジエンならびに（Ｃ）２０乃至４５重量％のイソブタンおよび／またはｎ−ブタン、からなる混合物を基にした可燃性ガスであり、これらの成分の合計は１００重量％となる。さらに、該成分（Ａ）、（Ｂ）および（Ｃ）は、列挙した可燃性ガスをそれぞれ１種類または数種類代表として含有することもできる。
【００１７】
該成分（Ａ）の量が５０乃至６０重量％、該成分（Ｂ）の量が１０乃至１５重量％および該成分（Ｃ）の量が２５乃至３５重量％である混合物が好ましい。
【００１８】
本発明に係る燃料ガスは、成分（Ａ）としてジメチルエーテル、成分（Ｂ）としてプロピレン、および成分（Ｃ）としてイソブタンを含有していることが好ましい。特に好ましい実施態様において、本発明に係る燃料ガスは、５８重量％のジメチルエーテル、１０重量％のプロピレンおよび３２重量％のイソブタンからなる混合物である。
【００１９】
本発明の燃料ガスには、これ以外に、毒性が無く、かつ該混合物の蒸気圧および燃焼速度に不利な影響を与えない、微量の他の可燃性ガスを含有することができる。
【００２０】
本発明の燃料ガスには、燃料ガスを燃焼室中へ送るのに必要なバルブ装置に注油するために、またはピストンもしくは類似の可動部に注油するために、例えば鉱物系またはシリコン油系のといった潤滑剤を少なくとも１種類補足的に含有することができる（２サイクルオットーエンジン参照）。
【００２１】
本発明に用いる芳香物質または芳香物質混合物の成分により、場合によっては圧力容器からの燃料ガスの漏れの検知が可能となり、それにより危険を防止することが可能となる。さらに、芳香物質または芳香物質混合物の存在により、該燃料ガスを使用すべき特定の分野の指示、さらには該燃料ガスの製造者の識別とすることができる。本発明において使用する芳香物質は、少量でも所望の目的を果たさなければならず、かつ燃料ガスの可燃性ガスをそれ以上は分解することなく、燃焼力駆動工具の機能を損なうことはない。その際、工具の排気ガス中に残留している微量の芳香物質により、職場の空気が労働者にとって心地よく香るようになる。
【００２２】
以下の実施例を用いて、本発明をさらに分かりやすく説明する。
【００２３】
【実施例】
可燃性ガスを、成分（Ａ）として５８重量％のジメチルエーテル、成分（Ｂ）として１０重量％のプロピレンおよび成分（Ｃ）として３２重量％のイソブタンから構成する。同量のユージノール、イソユージノールおよびチョウジ油を混合した混合物０．５％を該可燃性ガスにさらに加えて、燃料ガスに心地よいカーネーションの香りを付加する。この燃料ガスは、５０℃において、固定素子の打ち込み装置用に使用するのに必要な、十分に高い蒸気圧を示す。
【００２４】
【発明の効果】
カーネーションの香りにより、圧力容器からの燃料ガスの漏れは、香りによって検知可能となる。さらに、使用時に心地よいカーネーションの香りのする燃料ガスが得られる。これにより、該燃料ガスを他の燃料ガスから識別することができる。